(57)【要約】【課題】  監視映像データに重畳させて表示させる文字情報の表示内容を、簡易なシステム構成で表示装置ごとに容易に変更することが可能なＣＣＴＶ監視システム、およびこれに利用する表示情報生成装置、表示情報生成方法を提供する。【解決手段】  各映像復号装置１４ａ〜１４ｃ装置で受信すべき映像データを識別するマルチキャストアドレスとこのアドレスごとの映像データに重畳する文字に関する情報とを登録する情報登録部１４２と、登録されたマルチキャストアドレスに対応する映像データを、複数のカメラ装置１１Ａ〜１１Ｎの中から受信するＬＡＮインタフェース部１４１と、受信した映像データのマルチキャストアドレスに対応する文字に関する情報を情報登録部１４２から取得する文字情報取得部１４４と、受信した映像データに取得した文字に関する情報に基づいて生成した文字情報を重畳して表示データを合成する合成部１４５とを備える。【選択図】  図２
2009232117.tif 000002
【特許請求の範囲】
【請求項１】
ＣＣＴＶ監視システムを構成するネットワークを介して接続された複数の監視カメラ装置においてそれぞれ撮影され前記ネットワークに送出された監視エリアの映像データのうち、自装置で受信すべき映像データを識別する識別情報と、この識別情報ごとの前記映像データに重畳する文字に関する情報とを登録する情報登録部と、
前記情報登録部に登録された前記識別情報に対応する映像データを、前記ネットワークから受信するインタフェース部と、
前記インタフェース部で受信した映像データの前記識別情報に対応する、前記重畳する文字に関する情報を前記情報登録部に登録した情報の中から取得する文字情報取得部と、
前記インタフェース部で受信した映像データに、前記文字情報取得部で取得した前記重畳する文字に関する情報に基づいて生成した文字情報を重畳することにより表示データを合成する合成部と、
を備えることを特徴とする表示情報生成装置。
【請求項２】
前記情報登録部に登録する情報は、前記ネットワークを介して接続されたサーバ、自装置固有に接続された端末、自装置に装着されたリムーバブルメディアのいずれかから取得される
ことを特徴とする請求項１に記載の表示情報生成装置。
【請求項３】
前記情報登録部に登録する前記重畳する文字に関する情報は、前記文字情報の種別、この文字情報の種別ごとの表示／非表示を示す情報、表示させる文字色の情報、点滅の有無情報、強調に関する情報、表示位置情報、表示優先度情報のうち少なくともいずれか１つの表示条件を含む
ことを特徴とする請求項１または２に記載の表示情報生成装置。
【請求項４】
前記映像データの識別情報は、マルチキャストアドレスである
ことを特徴とする請求項１〜３いずれか１項に記載の表示情報生成装置。
【請求項５】
前記情報登録部は、前記重畳する文字に関する情報として、所定の周期で測定された前記監視エリアの環境に関する観測値を外部からさらに取得し、周期的に最新の前記還測値に更新して登録する
ことを特徴とする請求項１〜４いずれか１項に記載の表示情報生成装置。
【請求項６】
前記情報登録部に登録する文字に関する情報は、前記文字情報の表示条件を変更するための、前記監視エリア周辺の環境に関する観測値の基準値と、前記観測値がこの基準値以上の場合と基準値未満の場合とで異なる表示条件とを含む
ことを特徴とする請求項５に記載の表示情報生成装置。
【請求項７】
ＣＣＴＶ監視システムを構成するネットワークを介して接続された複数の監視カメラ装置においてそれぞれ撮影され前記ネットワークに送出された監視エリアの映像データのうち自装置で受信すべき映像データを識別する識別情報と、この識別情報ごとの前記映像データに重畳する文字に関する情報とを情報登録部に登録する登録ステップと、
前記情報登録部に登録された前記識別情報に対応する映像データを、前記ネットワークを介して受信する受信ステップと、
前記受信ステップで受信した映像データの前記識別情報に対する、前記重畳する文字に関する情報を前記情報登録部に登録した情報の中から取得する文字情報取得ステップと、
前記受信ステップで受信した映像データに、前記文字情報取得ステップで取得した前記重畳する文字に関する情報に基づいて生成した文字情報を重畳することにより表示データを合成する合成ステップと、
を備えることを特徴とする表示情報生成方法。
【請求項８】
前記登録ステップで登録する情報は、前記ネットワークを介して接続されたサーバ、自装置にローカル接続された端末、自装置に装着されたリムーバブルメディアのいずれかから取得される
ことを特徴とする請求項７に記載の表示情報生成方法。
【請求項９】
前記登録ステップで登録する文字に関する情報は、前記文字情報の種別、この文字情報の種別ごとの表示／非表示を示す情報、表示させる文字色の情報、点滅の有無情報、強調に関する情報、表示位置情報、表示優先度情報のうち少なくともいずれか１つの表示条件を含む
ことを特徴とする請求項７または８に記載の表示情報生成方法。
【請求項１０】
前記映像データの識別情報は、マルチキャストアドレスである
ことを特徴とする請求項７〜９いずれか１項に記載の表示情報生成方法。
【請求項１１】
前記登録ステップでは、前記重畳する文字に関する情報として、所定の周期で測定された前記監視エリアの環境に関する観測値を外部からさらに取得し、周期的に最新の前記還測値に更新して登録する
ことを特徴とする請求項７〜１０いずれか１項に記載の表示情報生成方法。
【請求項１２】
前記登録ステップで登録する文字に関する情報は、前記文字情報の表示条件を変更するための、前記監視エリア周辺の環境に関する観測値の基準値と、前記観測値がこの基準値以上の場合と基準値未満の場合とで異なる表示条件とを含む
ことを特徴とする請求項１１に記載の表示情報生成方法。
【請求項１３】
複数の監視カメラ装置と、複数の映像表示装置ごとに設けられた複数の表示情報生成装置とがネットワークを介して接続されたＣＣＴＶ監視システムにおいて、
前記監視カメラ装置は、
監視エリアを撮影して映像データを生成する撮影部と、
前記撮影部で生成された映像データを、前記映像データの識別情報とともに前記ネットワークに送出する送信部と、
を有し、
前記表示情報生成装置は、
複数の前記監視カメラ装置の撮影部でそれぞれ生成された映像データのうち自装置で受信すべき映像データの前記識別情報と、この識別情報ごとの映像データに重畳する文字に関する情報とを登録する情報登録部と、
前記情報登録部に登録された前記識別情報に対応する映像データを、前記ネットワークから受信するインタフェース部と、
前記インタフェース部で受信した映像データの前記識別情報に対応する、前記重畳する文字に関する情報を前記情報登録部に登録した情報の中から取得する文字情報取得部と、
前記インタフェース部で受信した映像データに、前記文字情報取得部で取得した前記重畳する文字に関する情報に基づいて生成した文字情報を重畳することにより表示データを合成する合成部と、
を有し、
前記映像表示装置は、
前記表示情報生成装置の合成部で合成された表示データを、それぞれ表示する表示部
を有する
ことを特徴とするＣＣＴＶ監視システム。
【発明の詳細な説明】
【技術分野】
【０００１】
本発明は、ＣＣＴＶ（closed Circuit Television）監視カメラにより撮影された映像を監視するためのＣＣＴＶ監視システム、およびこれに利用する表示情報生成装置、表示情報生成方法に関する。
【背景技術】
【０００２】
従来、防犯、防災、計測および記録などの目的で遠隔地を監視するためのシステムとして、ＣＣＴＶを利用した閉回路の監視システムがある。このＣＣＴＶ監視システムでは、撮影した映像データに監視場所などを示す文字情報を重畳して表示することがある。
【０００３】
従来のＣＣＴＶ監視システム１００の構成を図５に示す。ＣＣＴＶ監視システム１００では、Ｎ台のカメラ装置１１０Ａ〜１１０Ｎで撮影された映像データに、それぞれのカメラ専用に設置された文字重畳装置１２０Ａ〜１２０Ｎに予め登録された文字情報が重畳され、この文字情報が重畳された映像データがこれらの文字重畳装置１２０Ａ〜１２０Ｎにそれぞれ接続された映像符号化装置１３０Ａ〜１３０Ｎで符号化される。
【０００４】
複数の映像符号化装置１３０Ａ〜１３０Ｎで符号化された映像データは、それぞれネットワーク１４０を介して映像復号装置１５０ａ〜１５０ｃのいずれかに送信されて復号され、これらの映像復号装置１５０ａ〜１５０ｃにそれぞれ接続された映像表示装置１６０ａ〜１６０ｃに、重畳された文字情報とともに表示される。
【０００５】
このように構成された監視システムの一例として特許文献１に記載の技術があり、このシステムにより、カメラ装置毎に登録された文字情報を監視映像データに重畳して表示することができる。
【特許文献１】特開２００２−３５４４５５号公報
【発明の開示】
【発明が解決しようとする課題】
【０００６】
しかし、上述したようなＣＣＴＶ監視システム１００では、表示される文字情報は予め各文字重畳装置１２０Ａ〜１２０Ｎに登録された１パターンのものであるため、一のカメラ装置で撮影された映像データに関してはモニタ側では全て同じ文字情報が表示されることになり、映像表示装置ごとに文字情報の表示内容（文字情報の表示／非表示、表示色、点滅等）を変更したい場合に、柔軟に対応できないという問題があった。
【０００７】
また、上述したようなＣＣＴＶ監視システム１００では、カメラ装置毎に文字重畳装置を設置しなければならないため、カメラ装置の台数が多い場合には必要な設備が膨大となり、コストがかかるとともに運用が煩雑になるという問題があった。
【０００８】
よって本発明は、監視映像データに重畳させて表示させる文字情報の表示内容を、簡易なシステム構成で表示装置ごとに容易に変更することが可能なＣＣＴＶ監視システム、およびこれに利用する表示情報生成装置、表示情報生成方法を提供することを目的とする。
【課題を解決するための手段】
【０００９】
上記目的を達成するための本発明の表示情報生成装置は、ＣＣＴＶ監視システムを構成するネットワークを介して接続された複数の監視カメラ装置においてそれぞれ撮影され前記ネットワークに送出された監視エリアの映像データのうち、自装置で受信すべき映像データを識別する識別情報と、この識別情報ごとの前記映像データに重畳する文字に関する情報とを登録する情報登録部と、前記情報登録部に登録された前記識別情報に対応する映像データを、前記ネットワークから受信するインタフェース部と、前記インタフェース部で受信した映像データの前記識別情報に対応する、前記重畳する文字に関する情報を前記情報登録部に登録した情報の中から取得する文字情報取得部と、前記インタフェース部で受信した映像データに、前記文字情報取得部で取得した前記重畳する文字に関する情報に基づいて生成した文字情報を重畳することにより表示データを合成する合成部とを備えることを特徴とする。
【００１０】
また、本発明の表示情報生成方法は、ＣＣＴＶ監視システムを構成するネットワークを介して接続された複数の監視カメラ装置においてそれぞれ撮影され前記ネットワークに送出された監視エリアの映像データのうち自装置で受信すべき映像データを識別する識別情報と、この識別情報ごとの前記映像データに重畳する文字に関する情報とを情報登録部に登録する登録ステップと、前記情報登録部に登録された前記識別情報に対応する映像データを、前記ネットワークを介して受信する受信ステップと、前記受診ステップで受信した映像データの前記識別情報に対する、前記重畳する文字に関する情報を前記情報登録部に登録した情報の中から取得する文字情報取得ステップと、前記受信ステップで受信した映像データに、前記文字情報取得ステップで取得した前記重畳する文字に関する情報に基づいて生成した文字情報を重畳することにより表示データを合成する合成ステップとを備えることを特徴とする。
【００１１】
また、本発明のＣＣＴＶ監視システムは、複数の監視カメラ装置と、複数の映像表示装置ごとに設けられた複数の表示情報生成装置とがネットワークを介して接続されたものであり、前記監視カメラ装置は、監視エリアを撮影して映像データを生成する撮影部と、前記撮影部で生成された映像データを、前記映像データの識別情報とともに前記ネットワークに送出する送信部とを有し、前記表示情報生成装置は、複数の前記監視カメラ装置の撮影部でそれぞれ生成された映像データのうち自装置で受信すべき映像データの前記識別情報と、この識別情報ごとの映像データに重畳する文字に関する情報とを登録する情報登録部と、前記情報登録部に登録された前記識別情報に対応する映像データを、前記ネットワークを介して受信するインタフェース部と、前記インタフェース部で受信した映像データの前記識別情報に対応する、前記重畳する文字に関する情報を前記情報登録部に登録した情報の中から取得する文字情報取得部と、前記インタフェース部で受信した映像データに、前記文字情報取得部で取得した前記重畳する文字に関する情報に基づいて生成した文字情報を重畳することにより表示データを合成する合成部とを有し、前記映像表示装置は、前記表示情報生成装置の合成部で合成された表示データを、それぞれ表示する表示部を有することを特徴とする。
【発明の効果】
【００１２】
本発明のＣＣＴＶ監視システム、およびこれに利用する表示情報生成装置、表示情報生成方法によれば、監視映像データに重畳させて表示させる文字情報の表示内容を、簡易なシステム構成で表示装置ごとに容易に変更することができる。
【発明を実施するための最良の形態】
【００１３】
《一実施形態》
〈一実施形態によるＣＣＴＶ監視システムの構成〉
本発明の一実施形態によるＣＣＴＶ監視システム１の構成について、図１を参照して説明する。
【００１４】
本実施形態によるＣＣＴＶ監視システム１は、Ｎ台のカメラ装置１１Ａ〜１１Ｎと、これらのカメラ装置１１Ａ〜１１Ｎにそれぞれ接続されたＮ台の映像符号化装置１２Ａ〜１２Ｎと、監視場所ａに設置された映像復号装置１４ａおよびこの映像復号装置１４ａに接続された映像表示装置１５ａと、監視場所ｂに設置された映像復号装置１４ｂおよびこの映像復号装置１４ｂに接続された映像表示装置１５ｂと、監視場所ｃに設置された映像復号装置１４ｃおよびこの映像復号装置１４ｃに接続された映像表示装置１５ｃと、サーバ装置１６とを有する。この映像符号化装置１２Ａ〜１２Ｎと、映像復号装置１４ａ〜１４ｃと、サーバ装置１６とは、ＩＰネットワーク１３を介して接続されることにより、閉回路のＣＣＴＶ監視システムが構成されている。
【００１５】
カメラ装置１１Ａ〜１１Ｎは、それぞれ監視対象であるＡ地点〜Ｎ地点を撮影して映像データを生成する。
【００１６】
映像符号化装置１２Ａ〜１２Ｎは、カメラ装置１１Ａ〜１１Ｎで生成された映像データをそれぞれ符号化して符号化映像データを生成し、予め設定されたシステム内の複数の監視場所に送信するため、マルチキャストアドレスを利用してＩＰネットワーク１３に送出する。本実施形態においては、映像符号化装置１２Ａはマルチキャストアドレス「239.0.0.1」を利用し、映像符号化装置１２Ｂはマルチキャストアドレス「239.0.0.2」を利用し、映像符号化装置１２Ｃはマルチキャストアドレス「239.0.0.3」を利用し、映像符号化装置１２Ｎはマルチキャストアドレス「239.0.0.n」を利用して、それぞれ符号化映像データをＩＰネットワーク１３送出するように設定されているものとする。
【００１７】
映像復号装置１４ａ〜１４ｃは、表示情報生成装置として機能し、図２に示すように、ＬＡＮインタフェース部１４１と、情報登録部１４２と、映像復号処理部１４３と、文字情報取得部１４４と、合成部１４５と、ＮＴＳＣインタフェース部１４６とを有する。
【００１８】
ＬＡＮインタフェース部１４１は、ＩＰネットワーク１３を介してサーバ装置１６から、自身の映像復号装置の取得対象である符号化映像データを識別するためのマルチキャストアドレスの情報、およびこのマルチキャストアドレスごとの映像データに重畳する文字情報などを受信し、登録情報として情報登録部１４２に送出する。また、ＬＡＮインタフェース部１４１は、サーバ装置１６およびＩＰネットワーク１３を介して、所定の周期でセンサ等により取得された各監視対象の地点の位置や、天候、雨量、風速等の観測値の情報を受信し、登録情報として情報登録部１４２に送出する。また、ＬＡＮインタフェース部１４１は、情報登録部１４２に登録されたマルチキャストアドレスを参照し、この登録されたマルチキャストアドレスを利用して送信された符号化映像データをＩＰネットワーク１３から受信し、映像復号処理部１４３に送出する。
【００１９】
情報登録部１４２は、ＬＡＮインタフェース部１４１で受信された登録情報を保持する。
【００２０】
本実施形態における登録情報の一例として、映像復号装置１４ａの情報登録部１４２に登録された情報を、図３に示す。
【００２１】
図３の登録情報には、自身の映像復号装置１４ａの取得対象である符号化映像データを識別するためのマルチキャストアドレスとして「239.0.0.1」、「239.0.0.2」、「239.0.03」が登録されている。
【００２２】
また、このマルチキャストアドレス「239.0.0.1」の映像データに重畳させ表示させる文字情報の種別は、「監視位置情報」、「天候情報」、「雨量情報」、および「風速情報」であり、マルチキャストアドレス「239.0.0.2」の映像データに重畳させる文字情報の種別は、「監視位置情報」、および「天候情報」であり、マルチキャストアドレス「239.0.0.3」の映像データに重畳させる文字情報の種別は、「監視位置情報」であることが登録されている。
【００２３】
さらに、マルチキャストアドレス「239.0.0.1」の映像データに重畳される「雨量情報」は、雨量が基準値50mm/h以上の場合には赤文字で点滅させて表示させ、基準値未満の場合は青文字で表示させ、また「風速情報」は、風速が基準値20m/s以上の場合には赤文字で点滅させて表示させ、基準値未満の場合は青文字で表示させることが登録されている。
【００２４】
これらの各種別の文字情報に用いる各監視対象の地点の位置や、天候、雨量、風速等の監視エリアの環境に関する観測値は、周期的に最新の値に更新される。
【００２５】
映像復号処理部１４３は、ＬＡＮインタフェース部１４１で受信された符号化映像データを取得し、復号する。
【００２６】
文字情報取得部１４４は、ＬＡＮインタフェース部１４１で受信された、符号化映像データのマルチキャストアドレスを取得し、このマルチキャストアドレスに対応する重畳する文字情報を情報登録部１４２の登録情報の中から取得する。
【００２７】
合成部１４５は、映像復号処理部１４３で復号された映像データに、文字情報取得部１４４で取得された文字情報を重畳することにより、表示データを合成する。
【００２８】
ＮＴＳＣインタフェース部１４６は、合成部１４５で合成された表示データをＮＴＳＣ変換し、接続された映像表示装置に送信する。
【００２９】
映像表示装置１５ａ〜１５ｃは、それぞれ映像復号装置１４ａ〜１４ｃのＮＴＳＣインタフェース部１４６から送信された表示データを受信し、表示する。
【００３０】
サーバ装置１６は、映像復号装置ごとの登録情報を入力し、ＩＰネットワーク１３を介して各映像復号装置に送信する。また、この登録情報の文字情報に用いる各監視対象の地点の位置や、天候、雨量、風速等の観測値の情報を外部のセンサ等から取得し、ＩＰネットワーク１３を介して各映像復号装置に送信する。
【００３１】
〈一実施形態にＣＣＴＶ監視システムの動作〉
次に、本実施形態によるＣＣＴＶ監視システム１を利用して監視対象地点の監視が行われるときの映像符号化装置の動作について、図４のフローチャートを参照して説明する。
【００３２】
本実施形態においては、サーバ装置１６において、予め各映像復号装置１４ａ〜１４ｃの取得対象の映像データを識別するためのマルチキャストアドレス、およびこのマルチキャストアドレスごとの重畳する文字情報がユーザの操作により入力され、ＩＰネットワーク１３を介して各映像復号装置１４ａ〜１４ｃに登録情報として送信される。各映像復号装置１４ａ〜１４ｃでは、サーバ装置１６から送信された登録情報がＬＡＮインタフェース部１４１で受信され、情報登録部１４２に登録される（Ｓ１）。これらの映像復号装置１４ａ〜１４ｃのうち、映像復号装置１４ａでは、図３に示す登録情報が登録されたものとする。
【００３３】
各映像復号装置１４ａ〜１４ｃの情報登録部１４２に登録情報が登録された状態で各カメラ装置１１Ａ〜１１Ｎにおいてそれぞれ監視対象であるＡ地点〜Ｎ地点の撮影が開始されると、順次撮影した映像データが生成される。
【００３４】
カメラ装置１１Ａ〜１１Ｎで生成された映像データは、各カメラ装置１１Ａ〜１１Ｎに接続された映像符号化装置１２Ａ〜１２Ｎにおいてそれぞれ符号化されて符号化映像データが生成され、予め各映像符号化装置１２Ａ〜１２Ｎに設定されたシステム内の複数の監視場所に送信するため、マルチキャストアドレスを利用してＩＰネットワーク１３に送出される。本実施形態においては、映像符号化装置１２Ａではマルチキャストアドレス「239.0.0.1」が利用され、映像符号化装置１２Ｂではマルチキャストアドレス「239.0.0.2」が利用され、映像符号化装置１２Ｃではマルチキャストアドレス「239.0.0.3」が利用され、映像符号化装置１２Ｎではマルチキャストアドレス「239.0.0.n」が利用されて、それぞれ符号化映像データがＩＰネットワーク１３送出されるように設定されているものとする。
【００３５】
次に、各映像復号装置１４ａ〜１４ｃのＬＡＮインタフェース部１４１において、情報登録部１４２に登録されたマルチキャストアドレスが参照され、この登録されたマルチキャストアドレスにより送信された符号化映像データがＩＰネットワーク１３から受信され（Ｓ２）、映像復号処理部１４３に送出される。
【００３６】
例えば本実施形態の監視場所ａの映像復号装置１４ａのＬＡＮインタフェース部１４１においては、図３の登録情報に従って、映像符号化装置１２Ａからマルチキャストアドレス「239.0.0.1」により送信された符号化映像データ、映像符号化装置１２Ｂからマルチキャストアドレス「239.0.0.2」により送信された符号化映像データ、映像符号化装置１２Ｃからマルチキャストアドレス「239.0.0.3」により送信された符号化映像データのいずれかがＩＰネットワーク１３から順次受信され、映像復号処理部１４３に送出される。
【００３７】
映像復号処理部１４３では、ＬＡＮインタフェース部１４１から送出された符号化映像データを取得し、復号して合成部１４５に送出する（Ｓ３）。
【００３８】
また、各映像復号装置１４ａ〜１４ｃのＬＡＮインタフェース部１４１において符号化映像データが受信されると、受信された符号化映像データのマルチキャストアドレスが文字情報取得部１４４に送出される。そして文字情報取得部１４４では、ＬＡＮインタフェース部１４１から送出されたマルチキャストアドレスに対応する重畳する文字情報が、情報登録部１４２から取得される（Ｓ４）。
【００３９】
例えば本実施形態の監視場所ａの映像復号装置１４ａの文字情報取得部１４４においては、マルチキャストアドレス「239.0.0.1」を取得したときにはこれに対応する文字情報として、種別「監視位置情報」、「天候情報」、「雨量情報」、「風速情報」とこれらに用いる監視対象の地点の位置、天候、雨量、風速等の観測値の情報とが取得され、マルチキャストアドレス「239.0.0.2」を取得したときにはこれに対応する文字情報として、種別「監視位置情報」、「天候情報」とこれらに用いる監視対象の地点の位置、天候の情報とが取得され、マルチキャストアドレス「239.0.0.3.」を取得したときにはこれに対応する文字情報として、種別「監視位置情報」とこれに用いる監視対象の地点の位置とが取得される。
【００４０】
次に、合成部１４５において、映像復号処理部１４３で復号された映像データに、文字情報取得部１４４で取得された文字情報が重畳されることにより、表示データが合成される（Ｓ５）。
【００４１】
例えば本実施形態の監視場所ａの映像復号装置１４ａの合成部１４５においては、復号されたマルチキャスト「239.0.0.1」の映像データには「監視位置情報」、「天候情報」、「雨量情報」、「風速情報」が重畳され、復号されたマルチキャスト「239.0.0.2」の映像データには「監視位置情報」、「天候情報」が重畳され、復号されたマルチキャスト「239.0.0.1」の映像データには「監視位置情報」が重畳されることにより、表示データが合成される。
【００４２】
合成部１４５で合成された表示データはＮＴＳＣインタフェース部１４６においてＮＴＳＣ変換され、接続された映像表示装置１５ａ〜１５ｃのいずれかに送信されて監視影像として表示される（Ｓ６）。
【００４３】
ここで、映像表示装置１５ａに表示データが表示される際、「雨量情報」で示される雨量が登録情報に登録された基準値の50mm/h以上である場合にはこの「雨量情報」は赤文字で点滅して表示され、基準値未満である場合には青文字で表示され、また「風速情報」で示される風速が登録情報に登録された基準値の20ｍ/s以上である場合にはこの「風速情報」は赤文字で点滅して表示され、基準値未満である場合には青文字で表示される。
【００４４】
以上の実施形態によれば、簡易なシステム構成で、監視場所の表示装置ごとに必要な文字情報を重畳させて監視映像を表示させることができる。
【００４５】
上記の実施形態において登録情報は、サーバ装置１６からＩＰネットワーク１３を介して映像復号装置１４ａ〜１４ｃの情報登録部１４２に登録する場合について説明したが、これには限定されず、映像復号装置１４ａ〜１４ｃに設けられたローカル接続用のインタフェースを介して映像復号装置毎に接続されたＰＣなどの端末から情報を送信して登録するようにしたり、ローカル接続用のインタフェースに登録情報が格納されたリムーバブルメディアを直接差し込んで情報を取得することにより登録するようにしてもよい。
【００４６】
また、本実施形態においては、情報登録部に登録する情報は、文字情報の種別、この文字情報の種別ごとの表示／非表示を示す情報、表示させる文字色の情報、点滅の有無情報である場合について説明したが、これには限定されず、他の強調に関する情報、表示画面内における表示位置情報、表示画面内における表示優先度情報、路温、路面状態、風向、震度、積雪深、降雪量、水位、流速などを含んでいてもよい。
【００４７】
また、雨量情報などの観測値の表示／非表示情報は、サーバ装置１６から観測周期に応じて動的に取り込む観測値の値により複数登録可能として、観測値の値により、動的に表示したり、非表示にしたり出来る様にしても良い。
【００４８】
また、同様に、雨量情報等の観測値に対する基準値は１つに限定するものではなく、複数設定出来る様にしても良い。
【図面の簡単な説明】
【００４９】
【図１】本発明の一実施形態によるＣＣＴＶ監視システムの構成を示す全体図である。
【図２】本発明の一実施形態によるＣＣＴＶ監視システムの映像復号装置の構成を示すブロック図である。
【図３】本発明の一実施形態によるＣＣＴＶ監視システムの情報登録部に登録された登録情報の一例を示すデータベースである。
【図４】本発明の一実施形態によるＣＣＴＶ監視システムの映像復号装置の動作を示すフローチャートである。
【図５】従来のＣＣＴＶ監視システムの構成を示す全体図である。
【符号の説明】
【００５０】
１…ＣＣＴＶ監視システム
１１Ａ〜１１Ｎ…カメラ装置
１２Ａ〜１２Ｎ…映像符号化装置
１３…ＩＰネットワーク
１４ａ〜１４ｃ…映像復号装置
１５ａ〜１５ｃ…映像表示装置
１６…サーバ装置
１４１…ＬＡＮインタフェース部
１４２…情報登録部
１４３…映像復号処理部
１４４…文字情報取得部
１４５…合成部
１４６…ＮＴＳＣインタフェース部
【図１】
2009232117.tif 000003
【図２】
2009232117.tif 000004
【図３】
2009232117.tif 000005
【図４】
2009232117.tif 000006
【図５】
2009232117.tif 000007